(57)【要約】【課題】  容易に且つ一人の作業者でも用土の投入、袋の取り出しを実施し得る土嚢支持体を提供することが課題である。【解決手段】  蝶番に依り扉状に開閉できる、連結手段を有する支持輪の下方に４本の支持脚を取り付け、該支持脚に設ける固定手段の操作によって、土嚢の上方開口縁を押さえ込んで開口状態を保持し、用土投入後には、支持輪を開いて土嚢を持ち上げずに取り出すことの出来る土嚢支持体として課題を解決するものである。【選択図】    図３
2005264684.tif 000002
【特許請求の範囲】
【請求項１】
土嚢の上方開口縁を折り返えして、開口を上方に向けて支持する、一箇所に支点となる蝶番を有し該蝶番の略対向する周縁に着脱可能の連結手段を施す支持輪から下方に略等間隔で４本の支持脚を立設すると共に、該４本の支持脚の各々に、前記土嚢の折り返す上方開口縁を着脱自在に支持する固定手段を設けて成る、前記支持輪の蝶番を支点として両開きに開いて土嚢の取り出しを可能とする土嚢支持体。
【請求項２】
前記支持脚に固定する支持板と、一端側に把手を形成する駆動用の操作レバーの他端側とを回動可能に結合するとともに、受動レバーの一端側と、前記支持板と回動自在に結合する媒介レバーを介して互いに揺動可能に結合するリンク装置の、前記受動レバーの他端先端部に、前記支持脚を押圧する押え腕を設ける土嚢開口縁の固定手段を有する請求項１記載の土嚢支持体。
【発明の詳細な説明】
【技術分野】
【０００１】  本発明は、土嚢への土砂等の詰め込み或は袋の取り出しに際し使用する土嚢の支持体に関するものである。
【背景技術】
【０００２】  従来、必要時に、土嚢に土砂等の用土を詰め込む作業には、袋の口を開ける者と、用土を詰め込む者の、最低でも二人が必要になっているのが通常であり、その労力と手間等の改善を図る目的で、一人でも作業の行なうことの出来る、土嚢へ用土を詰め込む方法或は用具なり機器が提案されている。
【特許文献１】    登録実用新案第３０５６５１８号公報
【特許文献２】    特開２００３−１３４２１
【発明の開示】
【発明が解決しようとする課題】
【０００３】  上記、提案されている、一人でも作業が出来る土嚢への土砂等の用土の投入或は取り出すための用具或は機器にあっては、確かに一人での作業を可能とするものではあっても、上部の土嚢開口縁を支持するリング状枠体と接地して基台となるリング状枠体とを支持脚体で支えて構成しているものであり、袋内に土砂等を詰め込んだ後に、用具、機器を上方に引き上げて土嚢から離す等の、相当の重量物である用具、機器を移動させる手間を省くことが出来ず、この作業の煩わしさが依然として残っている。従って、本発明における課題は、この問題を解決し、極めて容易に、土嚢への用土の投入及び土嚢の取り出しを一人でも行なうことの出来る土嚢支持体を提供することにある。
【課題を解決するための手段】
【０００４】  一箇所に支点となる蝶番を有し、この蝶番の略対向する周縁にフック等の着脱可能な連結手段を施す枠体としての支持輪の下方に４本の支持脚をほぼ等間隔で設け、該支持脚の各々に、土嚢の外側に折り返す開口縁を着脱自在に支持する固定手段を設けて成る土嚢支持体として、土嚢への用土投入後には、前記固定手段に依る固定状態を解除し、支持輪の連結部をはずして、用土の詰まった土嚢をその位置にしたまま、支持体を扉状に開き横側にずらす作業のみで済むことを可能とし課題を解決している。
このように、本発明に関わる支持体における最大の技術的特徴は、上記の構成に依り支持体を扉状に横開きを可能とすることである。【０００５】  又、土嚢の外側に折り返して開口する状態を保持するために、上方開口縁を固定する手段として、４本の夫々の支持脚に固定する支持板と、該支持板に端部が回動自在に結合する駆動用の操作レバーの同一端部が、前記支持板及び先端部に支持脚を押圧して外側に開かれた土嚢開口縁を押さえ込む押さ腕を有する受動レバーと回動自在に結合する媒介レバーを介して、受動レバーの他端側とヒンジ結合して成るリンク機構の固定手段を設ける土嚢支持体として、操作レバーを外側に引くことに依り前記押さ腕を外して土嚢を取り出せる状態にすることを可能とするものである。
【発明の効果】
【０００６】  本発明に拠り、極めて容易に、砂利、砂等の土嚢への用土の投入及び詰め込み後の土嚢の取り出しが、相当の重量を有する支持体を上方に持ち上げることなく実施できるという課題を十分に解決している固有の効果を奏するものである。
【発明を実施するための最良の形態】
【０００７】  支持輪の係止手段として錠状フックを使用し、立設支持柱としての支持脚を４本にすることで安定して接地し、開口土嚢を保持でき且つ支持輪を開いた後の支持体の移動を容易にすることが可能となる。
【実施例１】
【０００８】  以下、図面に示す実施例に従って、本発明の実施態様について詳述する。
図１は、本発明支持体の一実施例を示す使用状態図であり、図２及び図３は支持体の側面図及び上面図である。
図において、略円形の支持輪１の一箇所に蝶番４を設け、その対向する周縁にフック５を設けて、フック５の開閉に拠り蝶番４を支点として支持輪１が扉状に開閉できるようになっている。支持輪１より下方に４本の支持脚２を立設して夫々の支持脚の先端が接地してスタンドを形成し、支持脚２の各々に、土嚢６の上方開口縁を外側に折り曲げて、その折り曲げ部分を支持するリンク機構で成る固定手段３を設けて、固定手段３に付属する把手の操作に拠りリンクを作動させて土嚢の開口を保持できるようになっている。枠体としての支持輪１、支持脚２は通常は強度を考慮して金属製の棒状体で形成するものであるが、強度的に問題がなければ、他の有機材或は無機・有機複合材等で形成することもできるものであり、本発明にあっては枠体の構成に特徴を持たせるものである。
土嚢に砂利、砂等の用土を投入して満杯になった状態で固定手段３の固定状態を解除し、支持輪１のフック５をはずして支持脚２とともに開いて支持体を横にずらし、後に土嚢の口を閉じて利用場所へ移動させるもので、一人の作業者によっても容易に作業を行なうことが出来ることになる。
また、各枠体間を補強棒７に依り補強しているが、この補強棒７を設けることは、本発明における必須の条件ではなく、その設計上の選択は自由であり素材も金属に限定するものではない。
亦、支持脚２の接地する足先に、安定して接地できるように、平板等を設けることも自由に設計できるものである。
【実施例２】
【０００９】  図４には、土嚢支持体が開いた状態を示してあるが、蝶番５を支点として連結手段としてのフック４を外して扉状に開き得ることを示すものである。本実施例においては、錠状のフック４を示すが、他にピンの挿入等によることも考えられ、要は、着脱できる固定の仕方であれば良く、その選択は自由である。又、あくまでも蝶番５はヒンジ結合体の一手段として示すもので総称的に称しているものである。
【実施例３】
【００１０】  図５、図６及び図７は、図１、２、３における実施例の固定手段３の一実施例を示すものである。４本の夫々の支持脚２に固定する支持板３−５と、一端側に把手３−１３を設ける操作レバー３−１０の他端側がピン３−１２により回転自在に結合し且つ、一端側が支持板３−５とピン３−８により、他端側がピン３−９によって受動レバー３−１と回転自在に結合する媒介レバー３−７を介して、受動レバー３−１とピン３−１１により回転自在に結合している。受動レバー３−１の先端部には、押さ腕３−２がナット３−３によって固定して設けられ、押さ腕３−２の円筒形支持脚２の側面を押圧する先端部には、図７に示すように、側面が支持脚２と略同形状の半円で形成される押え板３−４が設けられている。
上記、媒介レバー３−７を採用するリンク機構により、本実施例にあっては、把手３−１３を外側に引くことによって押え腕３−２を支持脚２から外すもので、操作方向と土嚢開口縁を押さえる方向が一致し、作業上のミスを防ぐことに繋がることになる。
この固定手段３が４本の支持脚２の夫々に設けることは当然のことであり、４箇所で土嚢６の開口縁部を押さえ込んで開口状態を保持するものである。【００１１】  使用に際し土嚢６内に用土を投入する場合には、空の土嚢６の上方開口縁部を支持輪１の全周に亘って外側に折り返して、把手３−１３を外側に引き押え腕３−１を支持脚２に押圧して土嚢の折り返し部分を支持脚２と押え腕３−１とによって挟んで押さえ込み、土嚢の開口状態を保持し、用土の投入後には、把手３−１３を内側に押し込んで押え腕３−１の保持力を解除し、支持輪１のクック４を外して開き、支持体全体を横に移動させて満杯の土嚢６の口を閉じることが出来、従って、一人の作業者でも、比較的重い支持体出あっても、上方に持ち上げることなく、容易に作業を行なうことができることになる。
【産業上の利用可能性】
【００１２】  小型軽量化を図ることに依り、一般家庭での、一時的なゴミ袋等の支持具としての用途にも有効なものとなる。
【図面の簡単な説明】
【００１２】
【図１】  一実施例における使用状態図。
【図２】  図１に示す実施例の側面図。
【図３】  同上面図。
【図４】  使用状態を表す上面図。
【図５】  固定手段の実施例を示す側面図。
【図６】  図５の作動状態を示す側面図。
【図７】  固定手段の部分上面図。
【符号の説明】
【００１３】１        支持輪
２        支持脚
３        リンク
４        フック
５        蝶番
７        補強棒
３−１    受動レバー
３−２    押え腕
３−６    支持板
３−７    媒介レバー
３−１０  操作レバー
【図１】
2005264684.tif 000003
【図２】
2005264684.tif 000004
【図３】
2005264684.tif 000005
【図４】
2005264684.tif 000006
【図５】
2005264684.tif 000007
【図６】
2005264684.tif 000008
【図７】
2005264684.tif 000009